(57)【要約】【課題】有効な床下換気量を確保することができながら、台風等の強風時の床下への雨水の侵入をしっかりと阻止することができる、基礎と外壁の間の通気防水構造を提供する。【解決手段】基礎１と外壁パネル２との間に床下換気口８が設けられ、該床下換気口８が屋外側から水切り材９でカバーされ、該水切り材９により屋外側に開く下向きの通風用開口部１０が設けられ、該通風用開口部１０と前記床下換気口８とをつなぐ通路部２４に、通風を許容しながら雨水の通過を抑制する立体網状材１３が設けられている。【選択図】      図１
2008063839.tif 000002
【特許請求の範囲】
【請求項１】
基礎と外壁との間に設けられた床下換気口が屋外側から水切り材でカバーされると共に、該水切り材により屋外側に開く下向きの通風用開口部が設けられ、かつ、該通風用開口部と前記床下換気口とをつなぐ通路部に、通風を許容しながら雨水の通過を抑制する立体網状材ないしは立体多孔質材が設けられていることを特徴とする、基礎と外壁の間の通気防水構造。
【請求項２】
前記通風用開口部と前記床下換気口とをつなぐ通路部に、傾斜網板が、雨水の侵入方向に対して傾斜する態様で備えられている請求項１に記載の基礎と外壁の間の通気防水構造。
【発明の詳細な説明】
【技術分野】
【０００１】
本発明は、基礎と外壁の間の通気防水構造に関する。
【背景技術】
【０００２】
基礎と外壁との間に設けられた床下換気口が屋外側から水切り材でカバーされ、該水切り材により屋外側に開く下向きの通風用開口部が設けられ、通風用開口部と前記床下換気口とをつなぐ通路部に、防虫金網などの網板が設けられた、基礎と外壁の間の通気防水構造は、従来より提供されている。
【特許文献１】特開２０００−０５４５１４号公報
【発明の開示】
【発明が解決しようとする課題】
【０００３】
しかしながら、上記のような通気防水構造では、１５ｍ／秒程度の風速ならば床下への雨水の侵入を阻止することができるが、２０ｍ／秒を越えるような台風等の強風時には、床下への雨水の侵入を阻止するのが難しいという問題がある。
【０００４】
本発明は、上記のような問題点に鑑み、有効な床下換気量を確保することができながら、台風等の強風時の床下への雨水の侵入をしっかりと阻止することができる、基礎と外壁の間の通気防水構造を提供することを課題とする。
【課題を解決するための手段】
【０００５】
上記の課題は、基礎と外壁との間に設けられた床下換気口が屋外側から水切り材でカバーされると共に、該水切り材により屋外側に開く下向きの通風用開口部が設けられ、かつ、該通風用開口部と前記床下換気口とをつなぐ通路部に、通風を許容しながら雨水の通過を抑制する立体網状材ないしは立体多孔質材が設けられていることを特徴とする、基礎と外壁の間の通気防水構造によって解決される。
【０００６】
この通気防水構造では、通風用開口部と前記床下換気口とをつなぐ通路部に、立体網状材ないしは立体多孔質材が設けられているので、台風等の強風時、雨水を立体網状材ないしは立体多孔質材が捕獲して床下側への雨水の侵入を抑制すると共に、雨水を捕獲した立体網状材ないしは立体多孔質材は風速を減速させて床下側への雨水の侵入を抑制し、これらの作用によって床下側への雨水の侵入を効果的に阻止することができる。しかも、強風時以外の通常時は、立体網状材ないしは立体多孔質材は空気を抵抗小さく行き来させることができるので、有効な床下換気量を確保することができる。
【０００７】
前記通風用開口部と前記床下換気口とをつなぐ通路部に、傾斜網板が、雨水の侵入方向に対して傾斜する態様で備えられているのもよい。この場合は、網板が傾斜状態に設置されていることで、雨水の通る見付け面積が減少し、それによって板状の網部でありながら高い防水効果を発揮することができ、また、水が通る際の水膜の形成も促進することができて風速を減速させることができ、それによっても高い防水効果を発揮することができ、立体網状材ないしは立体多孔質材との組み合わせで、床下側への雨水の侵入を効果的に阻止することができ、それでいて、強風時以外の通常時は有効な床下換気量を確保することができる。
【発明の効果】
【０００８】
本発明は、以上のとおりのものであるから、有効な床下換気量を確保することができながら、台風等の強風時の床下への雨水の侵入をしっかりと阻止することができる。
【発明を実施するための最良の形態】
【０００９】
次に、本発明の実施最良形態を図面に基づいて説明する。
【００１０】
図１に示す実施形態の通気防水構造において、１はコンクリート布基礎、２は外壁としての外壁パネルであり、外壁パネル２は、外壁面材３と背後のパネルフレーム４とを備え、それらの間に断熱材５が介設されると共に、断熱材５と外壁面材３との間に上下方向に延びる通気部６が形成されたものからなっていて、パネルフレーム４と基礎１の天面部との間にピース状の土台７が介設されることで、外壁パネル２と基礎１との間に床下換気口８が設けられ、該床下換気口８は、屋外側から、水切り材９でカバーされている。
【００１１】
該水切り材９は、外壁パネル２における断熱材５の下面部に沿う水平な基板部９ａと、該基板部９ａから屋外側に向け斜め下方に延びて外壁パネル２の通気部６の下端部を屋外側に開放する斜板部９ｂと、該斜板部９ｂから下方に延びる垂直板部９ｃとを備えており、該垂直板部９ｃの下端部が、基礎１の側面部から屋外側に間隔をおくようにして基礎１の天面部の高さ位置よりも下方に突出することで、屋外側に開く下向きの通風用開口部１０が形成されている。９ｄは水切り用の折り返し部である。
【００１２】
そして、水切り材９の内面側の、通風用開口部１０と床下換気口８とをつなぐ通路部２４には、第１、第２の各網板１１，１２と、立体網状材１３とが備えられている。
【００１３】
即ち、第１網板１１は、一端側が外壁パネル２のパネルフレーム４の屋内側の側面部にビス１４で取り付けられ、そこから他端側に向けて、パネルフレーム４の下面側に沿い、床下換気口８を横断するように下方に延び、基礎１の天面部に沿い、基礎天面部から屋外側に向けて斜め下方に傾斜して水切り材９の垂直板部９ｃの内面側に延び、他端側が該内面側に沿って折り返し部９ｄの内面側に達するように備えられており、基礎天面部から傾斜して水切り材９の垂直板部９ｃの内面側に延びる部分１５を、雨水の侵入方向に対して傾斜する第１の傾斜網板部としている。
【００１４】
また、第２網板１２は、その中間部が、第１網板１１の基礎１の天面部に沿う部分の上面側に下地材１６を介して取り付けられ、一端側は、下地材１６の上面部の屋外側の縁部から斜め下方に延ばされて、その部分１８を雨水の侵入方向に対して傾斜する第２の傾斜網板部とし、他端側は、下地材１６の上面部の屋内側の縁部から屋外側に向けて斜め上方に延ばされて、その部分１９を雨水の侵入方向に対して傾斜する第３の傾斜網板部としている。そして、第２傾斜網板部１８の先端側に、水切り材９の垂直板部９ｃの内面部に設けられている第１係合部２０が係合されると共に、第３傾斜網板部１９の先端側に、水切り材９の斜板部９ｂの内面部に設けられている第２係合部２１に係合されて、水切り材９が第２網板１２に保持され、水切り材９と第２網板１２とで囲まれた内部に、通風を許容しながら雨水の通過を抑制する立体網状材１３が装填状態に設けられている。
【００１５】
なお、下地材１６と基礎１の天面部との間は、第１網板１１と基礎１の天面部との間に介設されたエプトシーラー（登録商標）などの発泡止水材１７によって止水状態にされている。
【００１６】
また、本実施形態では、水切り材９の基板部９ａと外壁パネル２の断熱材５の下面部との間にエプトシーラーなどの発泡止水材２２が介設されて屋内側への雨水の侵入が阻止されるようになされていると共に、外壁パネル２の通気部６の下端部から水切り材９の斜板部９ｂの上面部に至る部分に上記と同様の第２の立体網状材２３が装填されている。
【００１７】
上記の構造では、通風用開口部１０と床下換気口８とをつなぐ通路部２４に立体網状材１３が設けられているので、図３に示すように、台風等の強風時、通風用開口部１０を通じて吹き上げられた雨水は、立体網状材１３が捕獲して床下２５側への雨水の侵入を抑制することができると共に、雨水を捕獲した立体網状材１３は風速を減速させて床下２５側への雨水の侵入を抑制するように作用し、これらの作用によって床下２５側への雨水の侵入が効果的に阻止される。
【００１８】
しかも、本実施形態では、立体網状材１３の、通風用開口部１０側に位置して第１及び第２の傾斜網板部１５，１８が備えられると共に、同立体網状材１３の、床下換気口８側に位置して第３の傾斜網板部１９が備えられているので、これら傾斜網板部１５，１８，１９が雨水の通る見付け面積が減少し、それによって板状の網部でありながら高い防水効果を発揮することができ、また、水が通る際の水膜の形成も促進することができて風速を減速させることができ、それによっても高い防水効果を発揮することができ、立体網状材１３との組み合わせで、床下２５側への雨水の侵入を効果的に阻止することができる。因みに、本実施形態の通気防水構造によれば、３０ｍ／秒を越えるような台風に対しても、床下２５側への雨水の侵入を阻止することが可能になる。
【００１９】
そして、強風時以外の通常時は、立体網状材１３は、図２に示すように、空気を抵抗小さく行き来させることができ、また、第１〜第３の傾斜網板部１５，１８，１９についてももちろん空気を抵抗小さく行き来させることができるので、有効な床下換気量を確保することができる。
【００２０】
また、本実施形態では、外壁パネル２の通気部６の下端部から水切り材９の斜板部９ｂの上面部に至る部分にも第２立体網状材２３が設けられているので、図３に示すように、台風等の強風時、通気部６内に向けて吹き込む雨水は、第２立体網状材２３が捕獲して通気部６内への雨水の侵入を抑制すると共に、雨水を捕獲した第２立体網状材２３は風速を減速させて通気部６内への雨水の侵入を抑制するように作用し、これらの作用によって通気部６への雨水の無用な侵入を効果的に阻止することができ、それでいて、強風時以外の通常時の第２立体網状材２３は、図２に示すように、空気を抵抗小さく通過させることができる。
【００２１】
以上に、本発明の実施形態を示したが、本発明はこれに限られるものではなく、発明思想を逸脱しない範囲で各種の変更が可能である。例えば、本発明における立体網状材１３は、通風を許容しながら雨水の通過を抑制するものであればよく、材質や形態、網目のサイズ、弾力性の程度や有無等に制限はなく、種々のものが用いられてよい。
【００２２】
また、上記の実施形態では、立体網状材１３を傾斜網板部１５，１８，１９との組み合わせで用いた場合を示したが、傾斜網板部の数や位置に制限はないし、また、雨水の侵入方向に対して傾斜しない網板部との組み合わせにおいて立体網状材が備えられていてもよいし、また、網板部は省略されていてもよい。
【００２３】
更に、上記の実施形態では、立体網状材１３を用いた場合を示したが、通風を許容しながら雨水の通過を抑制するものであればよく、立体網状材１３に代えて、立体多孔質材が用いられてもよく、その場合も、その材質や形態、弾力性の有無等に制限はなく、種々のものが用いられてよい。
【００２４】
更にまた、本発明では、水切り材の形態に制限はなく、各種形態をしていてよいし、通風用開口部と床下換気口とをつなぐ通路部の形態も種々の態様をしていてよいことはいうまでもない。
【図面の簡単な説明】
【００２５】
【図１】実施形態の通気防水構造を示す断面正面図である。
【図２】通常時の床下換気状態を示す同断面正面図である。
【図３】台風等の強風時の床下への雨水の浸入阻止状態を示す同断面正面図である。
【符号の説明】
【００２６】
１…基礎
２…外壁パネル（外壁）
８…床下換気口
９…水切り材
１０…通風用開口部
１３…立体網状材
１５…第１傾斜網板部（傾斜網板）
１８…第２傾斜網板部（傾斜網板）
１９…第３傾斜網板部（傾斜網板）
２４…通路部
２５…床下
【図１】
2008063839.tif 000003
【図２】
2008063839.tif 000004
【図３】
2008063839.tif 000005